(57)【要約】【課題】室内の空気循環をさらに改善可能な照明機能付き送風装置を提供する。【解決手段】天井面に取り付けられるベース部１０，１１と、ベース部１０，１１の下方側に設けられる送風器２と、送風器２を支持する送風器支持部３と、送風器２の外周にリング状に配置される照明部４と、照明部４とベース部１０，１１とを連結する照明連結部５と、送風器２を天井面に対して傾斜させる傾斜機構と、を備えたことを特徴とする。【選択図】図８
0003221792.tif 000002
【実用新案登録請求の範囲】
【請求項１】
天井面に取り付けられるベース部と、
前記ベース部の下方側に設けられる送風器と、
前記送風器を支持する送風器支持部と、
送風器の外周にリング状に配置される照明部と、
前記照明部と、前記ベース部とを連結する照明連結部と、
前記送風器を前記天井面に対して傾斜させる傾斜機構と、を備えたことを特徴とする照明機能付き送風装置。
【請求項２】
前記ベース部は、天井面側に位置する第１ベース部分と、この第１ベース部分の下方側に搭載される第２ベース部分とを備え、前記第２ベース部分と、前記送風器支持部が前記傾斜機構により連結されていることを特徴とする請求項１に記載の照明機能付き送風装置。
【請求項３】
前記第２ベース部分を第１ベース部分に対して、垂直軸周りに回転させる回転機構が設けられていることを特徴とする請求項２に記載の照明機能付き送風装置。
【請求項４】
前記傾斜機構は、水平方向に設定された軸に対して、前記送風器支持部を回転可能に軸支する機構を含むことを特徴とする請求項２に記載の照明機能付き送風装置。
【請求項５】
前記第２ベース部分に、前記傾斜機構を構成する傾斜駆動モータと、前記回転機構を構成する回転モータが搭載されることを特徴とする請求項３に記載の照明機能付き送風装置。
【請求項６】
前記送風器は、送風羽根の周囲に設けられる筒状筐体を備え、この筒状筐体と前記照明部の間にリング状の隙間が形成されていることを特徴とする請求項１〜５のいずれか１項に記載の照明機能付き送風装置。
【請求項７】
前記回転機構は、第１ベース部分に固定された大径ギヤと、前記回転モータにより駆動され、前記大径ギヤの周囲を周回する小径ギヤを備えていることを特徴とする請求項５に記載の照明機能付き送風装置。
【考案の詳細な説明】
【技術分野】
【０００１】
本考案は、送風器の機能と照明部の機能を有する照明機能付き送風装置に関する。
【背景技術】
【０００２】
かかる送風装置として、下記特許文献１に開示される送風機（いわゆるシーリングサーキュレーター）が公知である。この送風機は、室内の天井面に取り付けられるベース部と、ベース部の取り付け面に対して垂直な回転軸で回転する羽根車（電動ファン）と、羽根車の周囲に環状に配置され、ベース部に取り付けられる照明部を備えている。この送風機は、照明部が点灯されると室内の照明が行われ、羽根車（電動ファン）を駆動することで、室内の空気循環を行うことができる。
【先行技術文献】
【特許文献】
【０００３】
【特許文献１】特許第６４２３５５９号
【考案の概要】
【考案が解決しようとする課題】
【０００４】
しかしながら、上記送風機は、羽根車の回転軸が１つの方向（垂直）に固定されており、空気循環の面では効率が良くなかった。
【０００５】
本考案は上記実情に鑑みてなされたものであり、その課題は、室内の空気循環をさらに改善可能な照明機能付き送風装置を提供することである。
【課題を解決するための手段】
【０００６】
上記課題を解決するため本考案に係る照明機能付き送風装置は、
天井面に取り付けられるベース部と、
前記ベース部の下方側に設けられる送風器と、
前記送風器を支持する送風器支持部と、
送風器の外周にリング状に配置される照明部と、
前記照明部と、前記ベース部とを連結する照明連結部と、
前記送風器を前記天井面に対して傾斜させる傾斜機構と、を備えたことを特徴とするものである。
【０００７】
かかる構成によると、送風器の外周（周囲）にリング状に照明部が配置される。すなわち、送風器の機能と照明部の機能を備えている。また、送風器は、天井面に対して傾斜させる傾斜機構を備えている。従って、送風器による送風方向を傾斜機構を利用することで変えることができる。従って、室内の状況を考慮して適宜送風方向を調整することができる。その結果、室内の空気循環をさらに改善可能になる。
【０００８】
本考案に係る前記ベース部は、天井面側に位置する第１ベース部分と、この第１ベース部分の下方側に搭載される第２ベース部分とを備え、前記第２ベース部分と、前記送風器支持部が前記傾斜機構により連結されていること好ましい。
【０００９】
この構成によると、ベース部分を構成する第２ベース部分に対して送風器支持部を傾斜させることで、送風方向を変更することができる。
【００１０】
本考案において、前記第２ベース部分を第１ベース部分に対して、垂直軸周りに回転させる回転機構が設けられていることが好ましい。
【００１１】
この構成によると、送風器の送風方向を傾斜した状態で送風器自体を回転させることができる。従って、より室内に満遍なく送風させることができる。
【００１２】
本考案に係る前記傾斜機構は、水平方向に設定された軸に対して、前記送風器支持部を回転可能に軸支する機構を含むことが好ましい。
【００１３】
かかる構成により、送風器支持部を水平な軸周りに回転させることで、送風器を傾斜させることができる。
【００１４】
本考案において、前記第２ベース部分に、前記傾斜機構を構成する傾斜駆動モータと、前記回転機構を構成する回転モータが搭載されることが好ましい。
【００１５】
かかる構成によれば、送風器を傾斜した状態で、送風器を回転させる構成を実現することができる。
【００１６】
本考案に係る前記送風器は、送風羽根の周囲に設けられる筒状筐体を備え、この筒状筐体と前記照明部の間にリング状の隙間が形成されていることが好ましい。
【００１７】
この構成によると、送風器と照明部の間に所定の隙間が形成されるので、送風器を傾斜させたとしても照明部に干渉することなく傾斜駆動させることができる。
【００１８】
本考案に係る前記回転機構は、第１ベース部分に固定された大径ギヤと、前記回転モータにより駆動され、前記大径ギヤの周囲を周回する小径ギヤを備えていることが好ましい。
【００１９】
かかる構成により、回転モータにより小径ギヤを回転させることで、第２ベース部分を第１ベース部分に対して回転させることができる。すなわち、送風器自体を回転させることができる。
【図面の簡単な説明】
【００２０】
【図１】本実施形態に係る送風装置を正面側から見た外観斜視図
【図２】図１に示す送風装置の背面側から見た外観斜視図
【図３】図１に示す送風装置の側面図
【図４】図１に示す送風装置の正面図
【図５】カバーを取り外した状態の正面図
【図６】図５のＡ−Ａ断面図
【図７】図５のＢ−Ｂ断面図
【図８】送風器を傾斜した状態を示す断面図
【図９】送風器を傾斜した状態を示す側面図（照明部を取り除いた状態）
【図１０】図３のＣ−Ｃ断面図
【考案を実施するための形態】
【００２１】
本考案に係る照明機能付き送風装置（シーリングサーキュレーター）の好適な実施形態を図面を用いて説明する。図１は、本実施形態に係る送風装置を正面側から見た外観斜視図である。図２は、背面側から見た外観斜視図である。図３は、側面図である。図４は、正面図である。なお、説明の便宜上、天井面側を背面側（上方）とし、床面側を正面側（下方）と定義する。
【００２２】
本考案に係る送風装置は、照明機能と送風機能を併せ持つ。送風装置は、室内の天井面に取り付けて使用される。送風装置は、天井面に取り付けられるベース部１と、ベース部１の下方側に設けられる送風器２（ファン）と、送風器２を支持する送風器支持部３と、送風器２の外周にリング状に配置される照明部４と、照明部４をベース部１に連結する３本の照明連結部５を備えている。ベース部１を構成するための素材は、金属や樹脂等適宜選択することができる。
【００２３】
図３に示すように、ベース部１は、天井面側に位置する第１ベース部分１０と、この第１ベース部分１０の下方に搭載される第２ベース部分１１とを備えている。第１ベース部分１０は、天井面に周知の手段により固定される。第１ベース部分１０は、円筒形のフレームを有しており、その内部に、電源回路や制御回路などの部材が搭載されている。
【００２４】
第１ベース部分１０は、大径部１０ａと小径部１０ｂを有している。いずれも円筒形に形成されている。小径部１０ｂの前方側には凹部１０ｃが形成され、その凹部１０ｃの中に第２ベース部分１１が設けられている。第２ベース部分１１は、第１ベース部分１０の小径部１０ｂよりもさらに小径の円筒形のフレームを有している。詳細は後述するが、第２ベース部分１１は、第１ベース部分１０の小径部１０ｂに対して回転可能に取り付けらえている。その回転軸は、垂直方向になるように設定されている。第２ベース部分１１が回転することにより、送風器２および送風器支持部３も一体的に回転できるように構成されている。
【００２５】
図４に示すように、送風器２は、送風羽根２０を備えており７枚で構成される。なお、送風羽根２０の枚数や羽根形状は特定のものに限定されるものではない。なお、送風羽根２０の回転方向は、時計方向および反時計方向の両方回転可能であることが好ましい。ただし、いずれか一方の回転方向に限定されていてもよい。
【００２６】
送風羽根２０の周囲に筒状筐体２１が設けられとおり、送風羽根２０の中央にある羽根ガード２２と、３本のスポーク２３により連結されている。筒状筐体２１は、正面視でリング状に形成されており、送風羽根２０の最外径により少し大きな内径を有している。
【００２７】
照明部４は、透光性を有するカバー４０により覆われている。カバー４０は、正面視でリング状に形成されている。図５は、カバー４０を取り外した状態の正面図である。図６は、図５のＡ−Ａ断面図、図７は、図５のＢ−Ｂ断面図である。カバー４０は、照明用基板４５の上（床面側）に着脱自在に取り付けられる。カバー４０を照明用基板４５の上に係止するための周知の係止部材４１が、周方向に沿って３か所設けられている。照明用基板４５は、好ましくは金属製であり放熱機能を備えている。
【００２８】
照明用基板４５の上には、多数のＬＥＤ４３を搭載したＬＥＤ基板４２が設けられている。ＬＥＤ基板４２の上にはＬＥＤ４３を覆うように拡散カバー４４が設けられている。拡散カバー４４は、透光性を有し、ＬＥＤ４３から照射される光を拡散して均一な照明を行うようにする。また、拡散カバー４４は、ユーザー等がＬＥＤ基板４２に手で触れないように保護する機能も有する。
【００２９】
図５は、左半分は拡散カバー４４を外した状態を示している。ＬＥＤ基板４２はＶ字形状を有し、円周方向に沿って４つ配置されている。拡散カバー４４も同じく４つ配置されている。なお、ＬＥＤ基板４２の形状は円弧上にしてもよく、特定の形状に限定されるものではない。また、ＬＥＤ基板４２や拡散カバー４４の配置個数も適宜設定することができる。複数のＬＥＤ基板４２を設ける場合、隣接する金属板同士は配線により電気接続される。
【００３０】
照明部４のカバー４０の内周４０ａと送風器２の筒状筐体２１の外周の間にはリング状の隙間が形成されている（図５参照）。後述するように、送風器２は傾斜機能を有しているが、その傾斜駆動を行いやすくするために、必要な隙間を確保している。
【００３１】
図３を見ても分かるように、送風羽根２０の先端は、送風器２を傾斜させていない状態でも、照明部４のカバー４０よりも前方側に少し突出している。また、送風器２を傾斜させていない状態で、送風羽根２０の後方は、照明部４からは突出していない。
【００３２】
前述の照明連結部５は、照明部４の照明用基板４５と第１ベース部分１０と大径部１０ａとを連結している。３本ある照明連結部５は内部に空間を有し、そのうち１本は、配線を通すために用いられる。これにより、照明部４へ電源供給することができる。
【００３３】
図６を見ても分かるように、送風器２は、送風器２の後方に位置する送風器支持部３により支持されている。送風器支持部３は、筐体部３２を有しており、その内部に羽根モーター３０とモーター軸３１が収容されている。モーター軸３１に送風羽根２０が取り付けされており、送風羽根２０を回転駆動する。送風羽根２０は、ネジを有するキャップ３３によりモーター軸３１にネジ止めされる。
【００３４】
筒状筐体２１は、前方側の第１筐体部２１ａと後方側の第２筐体部２１ｂが結合されて構成されている。第１筐体部２１ａは、第２筐体部２１ｂから着脱自在に結合されており、第１筐体部２１ａを取り外すことができる。これにより、送風羽根２０も取り外して清掃等のクリーニングをすることができる。なお、第１筐体部２１ａはスポーク２３と一体結合されており、スポーク２３と一体的に取り外し可能である。
【００３５】
第２筐体部２１ｂは、３本のスポーク２４により、送風器支持部３と連結されている（図６参照）。筒状筐体２１を構成するための部材は、金属や樹脂等、適宜の素材を選択することができる。
【００３６】
筐体部３２の後方側の面３２ａは球面（あるいは球面状）に形成されている。これは、送風器２と送風器支持部３が一体的に傾斜駆動されるときに、第２ベース部分１１と干渉しないように空間を確保するためである。
【００３７】
次に、送風器２を天井面に対して傾斜させる傾斜機構について説明する。この傾斜機構により、室内の状況を考慮して適宜送風器２の送風方向を調整することができる。その結果、室内の空気循環をさらに改善可能になる。
【００３８】
図８は、送風器２を傾斜した状態を示す断面図であり、図９は、照明部４を取り除いた状態の側面図である。これにより、送風器２による送風方向を変更することができる。送風方向については、不図示のリモコンにより操作可能である。傾斜角度は、図８、図９の例では水平面に対して１２゜である。傾斜角度は段階的に変化できるようにしてもよいし、無段階で調整できるようにしてもよい。
【００３９】
図７、図９に示すように、送風器支持部３は、第２ベース部分１１に対して水平軸Ｘの周りに回転可能である。これにより、送風器支持部３が第２ベース部分１１に対して傾斜駆動可能になる。回転可能に軸支するための軸受部３４が一対設けられている（図７参照）。一方の軸受部３４には、ギヤ３５が設けられており、第２ベース部分１１に設けられた不図示の傾斜駆動モーターとギヤにより駆動される。ギヤ３５の回転軸は、水平方向である。ギヤ３５の回転可能な範囲は、例えば、１８゜以下のように設定されており、これにより、傾斜角度を規制している。例えば、適宜の機械的ストッパーを設けたり、回転角度を検出するセンサーを設けることで、傾斜範囲や傾斜角度を制御することができる。
【００４０】
次に、第２ベース部分１１を第１ベース部分１０に対して垂直軸まわりに回転させる回転機構について説明する。前述のように、傾斜機構を設けているが、送風器２を傾斜させた状態で回転させることができる。これにより、満遍なく室内に送風することができる。
【００４１】
図１０は、図３のＣ−Ｃ断面図である。第１ベース部分１０側に固定された大径ギヤ６０と、第２ベース部分１１側に設けられた小径ギヤ６１により回転機構を構成する。小径ギヤ６１は、不図示の回転モーターにより回転駆動される。回転モーターは、第２ベース部分１１に搭載される。小径ギヤ６１が駆動されると、大径ギヤ６０は固定されているため、小径ギヤ６１が大径ギヤ６０の周りを周回移動する。これにより、第２ベース部分１１が第１ベース部分１０に対して回転駆動され、第２ベース部分１１に設けられた送風器支持部３および送風器２も一緒に回転駆動される。
【００４２】
回転駆動するための中心軸６２が垂直方向に設けられている。第１ベース部分１０に設けられた電源部から第２ベース部分１１へと、中心軸６２を介して電源供給される。回転部分を介してスムーズに電源供給するために周知のスリップリング機構（不図示）が設けられている。第２ベース部分１１に供給された電源が、送風器２や照明部４へと供給される。また、傾斜駆動モーターや回転モーターへと供給される。
【００４３】
＜別実施形態＞
本実施形態では、第１ベース部分１０は、大径部１０ａと小径部１０ｂの２つの円筒部により構成されているが、かかる形状に限定されるものではない。例えば、逆向きの円錐台形状で第１ベース部分１０を構成してもよい。第２ベース部分１１についても円筒形に限定されるものではなく、円錐台形状等のほかの形状で構成してもよい。
【符号の説明】
【００４４】
１        ベース部
１０      第１ベース部分
１０ａ    大径部
１０ｂ    小径部
１０ｃ    凹部
１１      第２ベース部分
２        送風器
２０      送風羽根
２１      筒状筐体
２１ａ    第１筐体部
２１ｂ    第２筐体部
３        送風器支持部
３０      羽根モーター
３１      モーター軸
３２      筐体部
３４      軸受部
４        照明部
４０      カバー
４２      ＬＥＤ基板
４３      ＬＥＤ
４４      透光カバー
５        照明連結部
６０      大径ギヤ
６１      小径ギヤ
６２      中心軸
【図１】
0003221792.tif 000003
【図２】
0003221792.tif 000004
【図３】
0003221792.tif 000005
【図４】
0003221792.tif 000006
【図５】
0003221792.tif 000007
【図６】
0003221792.tif 000008
【図７】
0003221792.tif 000009
【図８】
0003221792.tif 000010
【図９】
0003221792.tif 000011
【図１０】
0003221792.tif 000012